【手続補正書】
【提出日】平成20年1月11日(2008.1.11)
【手続補正１】
【補正対象書類名】明細書
【補正対象項目名】発明の名称
【補正方法】変更
【補正の内容】
【発明の名称】広告ページを表示する通信装置、広告表示方法、および表示プログラム
【手続補正２】
【補正対象書類名】特許請求の範囲
【補正対象項目名】全文
【補正方法】変更
【補正の内容】
【特許請求の範囲】
【請求項１】
プロトコルコンポーネント、および実行すべきコマンドまたはフェッチすべきコンテンツを指定するデータコンポーネントを有するＵＲＬを受信するためのシェルであって、前記データコンポーネントを前記プロトコルコンポーネントに従ってプロトコルハンドラに提供すると共に、前記フェッチされたコンテンツを処理のためにコンテンツハンドラに提供するシェルと、
それぞれ該シェルに連結されて、ＵＲＬを受け取ると共に、前記データコンポーネントにより指定されたコンテンツをフェッチして、該フェッチしたコンテンツを前記シェルに提供するか、あるいは、前記データコンポーネントによって指定されたコマンドを実行する、複数のプロトコルハンドラと、
少なくとも１つのマークアップランゲージコンテンツハンドラと広告コンテンツハンドラを含む複数のコンテンツハンドラであって、
前記シェルに連結され、フェッチされたマークアップランゲージコンテンツを受け取り、該フェッチされたマークアップランゲージコンテンツを処理してコンピュータのディスプレイに出力するマークアップランゲージコンテンツハンドラと、
アイドル時に表示すべき広告ページを選択し、選択された広告ページを表示するよう前記マークアップランゲージコンテンツハンドラに指示する広告コンテンツハンドラと、
で構成された、コンピュータに実行させるためのプログラム。
【請求項２】
ディスプレイと、
前記ディスプレイに接続されたプロセッサと、
前記プロセッサにより実行され、プロトコルコンポーネントおよびデータコンポーネントを有するＵＲＬを受信するシェルであって、前記データは実行すべきコマンドまたはフェッチすべきコンテンツを指定し、該シェルは前記プロトコルコンポーネントに従って前記データコンポーネントをプロトコルハンドラに提供すると共に、前記フェッチされたコンテンツを処理のためにコンテンツハンドラに提供するシェルと、
それぞれ前記プロセッサにより実行され、かつ前記シェルからＵＲＬを受信するために連結され、前記データコンポーネントにより指定されたコンテンツをフェッチして、該フェッチしたコンテンツを前記シェルに提供するか、あるいは、前記データコンポーネントによって指定されたコマンドを実行する、複数のプロトコルハンドラと、
前記プロセッサにより実行され、前記シェルに接続されると共に、マークアップランゲージコンテンツを受信し処理して前記ディスプレイに表示する少なくとも一つのマークアップランゲージコンテンツハンドラと、
アイドル時に表示すべき広告ページを選択し、前記マークアップランゲージコンテンツハンドラに選択した広告ページを表示するよう指示する広告コンテンツハンドラと、
を具備することを特徴とする通信装置。
【請求項３】
通信装置のディスプレイに広告データを表示するための広告表示方法であって、
プロトコルコンポーネント、および実行すべきコマンドまたはフェッチすべきコンテンツを指定するデータコンポーネントを有するＵＲＬを受け取るステップと、
前記プロトコルコンポーネントに指定されたプロトコルに従って前記データコンポーネントによって指定されたマークアップランゲージコンテンツをフェッチするステップと、
フェッチされたマークアップランゲージコンテンツを受け取り、該フェッチされたマークアップランゲージコンテンツを処理して前記ディスプレイに出力するステップと、
前記通信装置のアイドル時に表示すべき広告ページを選択するステップと、
前記ディスプレイに前記選択された広告ページを表示するステップと、
を含むことを特徴とする広告表示方法。
【請求項４】
通信装置のディスプレイに広告データを表示するための広告表示方法であって、
マークアップランゲージコンテンツを受け取って処理し、前記ディスプレイに出力するステップと、
前記通信装置のアイドル時に表示すべき広告ページを選択するステップと、
前記ディスプレイに前記選択された広告ページを表示するステップと、
を含むことを特徴とする広告表示方法。
【請求項５】
通信装置のディスプレイにコンテンツを表示する表示プログラムにおいて、
マークアップランゲージコンテンツを受け取って処理し、前記ディスプレイに出力するマークアップランゲージコンテンツハンドラと、
前記ディスプレイに広告を表示する広告コンテンツハンドラと、
所定の条件が満たされる場合に前記広告が前記ディスプレイに表示されないようにする広告マネージャと、
を含むことを特徴とする表示プログラム。
【請求項６】
前記広告マネージャは、ユーザが前記広告に応答した場合に前記広告が表示されないようにすることを特徴とする請求項５に記載の表示プログラム。
【請求項７】
前記広告マネージャは、前記広告が所定回数表示された場合に前記広告が表示されないようにすることを特徴とする請求項５に記載の表示プログラム。
【請求項８】
前記広告マネージャは、より重要な広告を表示すべき場合に前記広告が表示されないようにすることを特徴とする請求項５に記載の表示プログラム。
【請求項９】
前記広告マネージャは、広告を一時的にマークし、前記マークされた広告が再度実行されることがないよう、ＵＲＬ履歴スタックにストアしないことを特徴とする請求項５から請求項８の何れかに記載の表示プログラム。
【請求項１０】
前記広告マネージャは、利用可能な広告のセットを参照し、その中から表示する広告を１つ選択することを特徴とする請求項５から請求項９の何れかに記載の表示プログラム。
【請求項１１】
前記広告マネージャは、現在表示されている広告が削除するようマークされているかどうかをチェックし、マークされている場合には前記広告を削除することを特徴とする請求項５から請求項１０の何れかに記載の表示プログラム。
【請求項１２】
前記広告マネージャは、前記広告が削除されるようにマークされた後で、ユーザが前記広告に応答すると前記マークアップランゲージコンテンツハンドラにストリングを渡すことを特徴とする請求項１１に記載の表示プログラム。
【請求項１３】
前記広告にバインディングされていない前記通信装置の任意のキーが押下されると、前記広告が閉じることを特徴とする請求項５から請求項１２の何れかに記載の表示プログラム。
【請求項１４】
前記広告にバインディングされていない前記通信装置の任意のキーが押下されると、前記広告が表れる前にアクティブであったページにより押下キーが再度処理されることを特徴とする請求項１３に記載の表示プログラム。
【請求項１５】
前記広告は、マークアップランゲージを用いて記述され広告コンテンツを含むページであることを特徴とする請求項５から請求項１４の何れかに記載の表示プログラム。
【請求項１６】
ディスプレイと、
前記ディスプレイに接続されたプロセッサと、
を具備し、
前記プロセッサは、
マークアップランゲージコンテンツを受信し処理して前記ディスプレイに出力するマークアップランゲージコンテンツハンドラ、
前記ディスプレイに広告を表示する広告コンテンツハンドラ、および
所定の条件が満足される場合に前記広告が表示されないようにする広告マネージャ、
の各機能を実現する表示プログラム動作を実行することを特徴とする通信装置。
【請求項１７】
前記広告マネージャは、ユーザが前記広告に応答した場合に前記広告が表示されないようにすることを特徴とする請求項１６記載の通信装置。
【請求項１８】
前記広告マネージャは、前記広告が所定回数表示された場合に前記広告が表示されないようにすることを特徴とする請求項１６記載の通信装置。
【請求項１９】
前記広告マネージャは、より重要な広告を表示すべき場合に前記広告が表示されないようにすることを特徴とする請求項１６記載の通信装置。
【請求項２０】
前記広告マネージャは、広告を一時的にマークし、前記マークされた広告が再度実行されることがないよう、ＵＲＬ履歴スタックにストアしないことを特徴とする請求項１６から請求項１９の何れかに記載の通信装置。
【請求項２１】
前記広告マネージャは、利用可能な広告のセットを参照し、その中から表示する広告を１つ選択することを特徴とする請求項１６から請求項２０の何れかに記載の通信装置。
【請求項２２】
前記広告マネージャは、現在表示されている広告が削除するようマークされているかどうかをチェックし、マークされている場合には前記広告を削除することを特徴とする請求項１６から請求項２１の何れかに記載の通信装置。
【請求項２３】
前記広告マネージャは、前記広告が削除されるようにマークされた後で、ユーザが前記広告に応答すると前記マークアップランゲージコンテンツハンドラにストリングを渡すことを特徴とする請求項２２に記載の通信装置。
【請求項２４】
ユーザ・オペレーション用のキーを備え、
前記広告にバインディングされていない任意の前記キーが押下されると、前記広告が閉じることを特徴とする請求項１６から請求項２３の何れかに記載の通信装置。
【請求項２５】
前記広告にバインディングされていない任意の前記キーが押下されると、前記広告が表れる前にアクティブであったページにより押下キーが再度処理されることを特徴とする請求項２４に記載の通信装置。
【請求項２６】
前記広告は、マークアップランゲージを用いて記述され広告コンテンツを含むページであることを特徴とする請求項１６から請求項２５の何れかに記載の通信装置。
【請求項２７】
通信装置のディスプレイに広告データを表示するための広告表示方法であって、
マークアップランゲージコンテンツを受け取って処理し、前記ディスプレイに出力するステップと、
前記ディスプレイに広告を表示するステップと、
所定の条件が満足される場合に前記広告が表示されないようにするステップと、
を含むことを特徴とする広告表示方法。
【請求項２８】
ユーザが前記広告に応答した場合に前記広告が表示されないようにすることを特徴とする請求項２７に記載の広告表示方法。
【請求項２９】
前記広告が所定回数表示された場合に前記広告が表示されないようにすることを特徴とする請求項２７に記載の広告表示方法。
【請求項３０】
より重要な広告を表示すべき場合に前記広告が表示されないようにすることを特徴とする請求項２７に記載の広告表示方法。
【請求項３１】
前記広告マネージャは、広告を一時的にマークし、前記マークされた広告が再度実行されることがないよう、ＵＲＬ履歴スタックにストアしないことを特徴とする請求項２７から請求項３０の何れかに記載の広告表示方法。
【請求項３２】
前記広告マネージャは、利用可能な広告のセットを参照し、その中から表示する広告を１つ選択することを特徴とする請求項２７から請求項３１の何れかに記載の広告表示方法。
【請求項３３】
前記広告マネージャは、現在表示されている広告が削除するようマークされているかどうかをチェックし、マークされている場合には前記広告を削除することを特徴とする請求項２７から請求項３２の何れかに記載の広告表示方法。
【請求項３４】
前記広告マネージャは、前記広告が削除されるようにマークされた後で、ユーザが前記広告に応答すると前記マークアップランゲージコンテンツハンドラにストリングを渡すことを特徴とする請求項３３に記載の広告表示方法。
【請求項３５】
前記広告にバインディングされていない前記通信装置の任意のキーが押下されると、前記広告が閉じることを特徴とする請求項２７から請求項３４の何れかに記載の広告表示方法。
【請求項３６】
前記広告にバインディングされていない前記通信装置の任意のキーが押下されると、前記広告が表れる前にアクティブであったページにより押下キーが再度処理されることを特徴とする請求項３５に記載の広告表示方法。
【請求項３７】
前記広告は、マークアップランゲージを用いて記述され広告コンテンツを含むページであることを特徴とする請求項２７から請求項３６の何れかに記載の広告表示方法。
【請求項３８】
広告データをユーザに自動的に見せるための広告表示方法において、
ヘッダ部分に広告データを含むタグを備えているマークアップランゲージページを受け取るステップと、
前記マークアップランゲージページのボディ部分をウィンドウ内に表示し該ウィンドウ内のタイトルバーエリアに前記広告データを表示するステップと、
を含むことを特徴とする広告表示方法。
【請求項３９】
ヘッダ部分に広告データを含むタグを備えているマークアップランゲージページを受信するための処理命令、
前記マークアップランゲージページのボディ部分をウィンドウ内に表示し該ウィンドウ内のタイトルバーエリアに前記広告データを表示するための処理命令、
の各処理命令をコンピュータに実行させるためのプログラム。
【請求項４０】
ディスプレイと、
前記ディスプレイに接続されたプロセッサと、
を具備し、
前記プロセッサは、
ヘッダ部分に広告データを含むタグを備えているマークアップランゲージページを受信し、
前記ディスプレイ上において、前記マークアップランゲージページのボディ部分をウィンドウ内に表示し該ウィンドウ内のタイトルバーエリアに前記広告データを表示する、動作を実行することを特徴とする通信装置。
【請求項４１】
広告データをユーザに自動的に表示するためのコンピュータ実施方法であって、
前記ページのヘッダ部分に表示可能なテキストを含む＜ＭＡＲＱＵＥＥ＞タグと、タイトルとを含むマークアップ言語ページを受信するステップと、
タイトルバーエリアに前記タイトルを有するウィンドウに、前記マークアップ言語ページを表示するステップと、
経過した時間量のカウンタを増分するステップと、
該カウンタが時間量の閾値に等しいか、または超過することに応答して、前記タイトルバーエリアにおける＜ＭＡＲＱＵＥＥ＞タグに含まれる表示可能なテキストをスクロールすることで、タイトルを置換するステップと、
を含む、方法。
【請求項４２】
通信装置のプロセッサにより、表示プログラムの実行で該通信装置の動作を制御すると共に、マークアップ言語データのページを表示する表示プログラム製品であって、
該表示プログラムは、
前記ページのヘッダ部分に表示可能なテキストを含む＜ＭＡＲＱＵＥＥ＞タグと、タイトルとを含むマークアップ言語ページを受信する動作と、
タイトルバーエリアに前記タイトルを有するウィンドウに、前記マークアップ言語ページを表示する動作と、
経過した時間量のカウンタを増分する動作と、
該カウンタが時間量の閾値に等しいか、または超過することに応答して、前記タイトルバーエリアにおける＜ＭＡＲＱＵＥＥ＞タグに含まれる表示可能なテキストをスクロールすることで、タイトルを置換する動作と、
を実行する、表示プログラム。